(57)【要約】【課題】装飾体の移動量を確保しつつ小型化された演出装置および当該演出装置を備えた遊技機を提供する。【解決手段】演出装置は、軸部材４５と、カム部材１８１と、移動部材１２０と、ピニオン１３０と、固定ラックと、移動ラック１５５とを備える。軸部材４５は左右方向に延び、正逆回転自在である。カム部材１８１は、扇形形状であり、回転中心となる軸部材４５に固定されている。移動部材１２０は、軸部材４５の上方で上下動自在である。移動部材１２０の下端部に形成される当接部１２４は、カム部材１８１と上方から当接している。ピニオン１３０は、移動部材１２０の前側部に回転自在に設けられる。固定ラックおよび移動ラック１５５は、ピニオン１３０と噛み合っている。第一装飾体５０は、移動ラック１５５と一体的に形成されている。【選択図】図４
2015084981.tif 000002
【特許請求の範囲】
【請求項１】
軸部材と、前記軸部材を一方向へ回転させる駆動源と、前記軸部材の回転に伴って装飾体を所定方向へ移動させる移動機構とを有する演出装置であって、
前記移動機構は、
前記軸部材に固定されるカム部材と、
前記カム部材に前記所定方向とは反対側から当接されることによって、前記所定方向へ移動する移動部材と、
前記移動部材を前記所定方向に案内する案内部と、
前記移動部材に回転自在に設けられるピニオンと、
前記所定方向と平行な方向に延び、位置が固定されて設けられ、前記ピニオンと噛み合う固定ラックと、
前記固定ラックとは反対側から前記ピニオンと噛み合い、前記装飾体を支持し、且つ前記ピニオンの回転に伴って、前記ピニオンに対して前記所定方向へ移動する移動ラックと
を備えたことを特徴とする演出装置。
【請求項２】
前記装飾体および前記移動機構は、前記軸部材の延設方向に沿って複数配置され、
複数の前記移動機構に設けられた複数の前記カム部材の夫々は、前記軸部材の回転に伴って、前記移動部材と摺動するカム面を備え、
前記カム面の夫々には、前記軸部材から最も離間し、且つ前記軸部材を中心とする回転方向と平行となる特定領域が形成され、
複数の前記特定領域の夫々における前記一方向側の端部の位置は、前記回転方向において互いに異なることを特徴とする請求項１に記載の演出装置。
【請求項３】
前記駆動源は、前記軸部材を前記一方向および前記一方向とは反対の方向である他方向に回転させるものであり、
前記複数の特定領域の夫々における前記他方向側の端部の位置は、前記回転方向において互いに同じであることを特徴とする請求項２に記載の演出装置。
【請求項４】
前記所定方向は上方向であることを特徴とする請求項１から３の何れかに記載の演出装置。
【請求項５】
前記移動機構は、前記移動部材を前記上方向へ付勢する弾性部材をさらに備えたことを特徴とする請求項４に記載の演出装置。
【請求項６】
前記弾性部材はコイルバネであり、
前記案内部は、前記コイルバネの内側を通過して上下方向に延びる案内軸であることを特徴とする請求項５に記載の演出装置。
【請求項７】
請求項１から６の何れかに記載の演出装置を備えたことを特徴とする遊技機。
【発明の詳細な説明】
【技術分野】
【０００１】
本発明は、演出装置および当該演出装置を備えた遊技機に関する。
【背景技術】
【０００２】
従来、遊技機の演出装置として、装飾体を上下動させる演出装置が知られている。例えば、特許文献１に開示の演出装置は、モータと、カムと、四つのギアと、アーム部と、装飾体とを備える。モータは、演出装置の駆動源である。カムは、モータの右方で前後方向に延びる回転軸を中心に、回転自在である。四つのギアは、略左右方向に沿って連結しており、モータの駆動力をカムへ伝達する。アーム部は略棒状である。アーム部は、カムよりもさらに右方で前後方向に延びる支軸を中心に、揺動自在である。アーム部の一端部はカムに当接し、他端部は装飾体に取り付けられる。装飾体は上下動自在である。モータが駆動するとカムが回転し、アーム部が揺動することで、装飾体は上下動する。
【先行技術文献】
【特許文献】
【０００３】
【特許文献１】特許第４６２４３８８号公報
【発明の概要】
【発明が解決しようとする課題】
【０００４】
しかしながら、上記演出装置では、装飾体を上下動させるために、モータ、四つのギア、カム、およびアーム部を略左右方向に並べて配置する必要があった。また、装飾体の上下方向における移動量を大きくするために、支軸からアーム部の他端部までの距離を長くする必要があった。従って、演出装置が大型化してしまうという問題点があった。
【０００５】
本発明の目的は、装飾体の移動量を確保しつつ小型化された演出装置および当該演出装置を備えた遊技機を提供することである。
【課題を解決するための手段】
【０００６】
本発明の第一態様に係る演出装置は、軸部材と、前記軸部材を一方向へ回転させる駆動源と、前記軸部材の回転に伴って装飾体を所定方向へ移動させる移動機構とを有する演出装置であって、前記移動機構は、前記軸部材に固定されるカム部材と、前記カム部材に前記所定方向とは反対側から当接されることによって、前記所定方向へ移動する移動部材と、前記移動部材を前記所定方向に案内する案内部と、前記移動部材に回転自在に設けられるピニオンと、前記所定方向と平行な方向に延び、位置が固定されて設けられ、前記ピニオンと噛み合う固定ラックと、前記固定ラックとは反対側から前記ピニオンと噛み合い、前記装飾体を支持し、且つ前記ピニオンの回転に伴って、前記ピニオンに対して前記所定方向へ移動する移動ラックとを備えたことを特徴とする。
【０００７】
上記構成によれば、駆動源が軸部材を一方向へ回転させる場合、カム部材は、軸部材を中心に一方向へ回転移動することで、移動部材を案内部に沿って所定位置から所定方向へ移動させる。この場合、ピニオンは、固定ラックと噛み合いながら第一方向へ回転することで、固定ラックに沿って移動部材と共に移動する。ピニオンが回転することで、装飾体は、移動ラックと共に所定方向へ移動する。ここで、固定ラックと移動ラックは、移動部材に設けられるピニオンを挟んで、所定方向と垂直をなす方向に対向する。そして、軸部材に固定されるカム部材は、移動部材に対して所定方向とは反対側から当接する。従って、装飾体を移動させるための部材が、特定の方向に並んで配置されることはないので、演出装置は小型化できる。また、移動ラックは、移動部材と共に移動するピニオンに対して、所定方向へ移動する。これにより、移動ラックおよび装飾体の所定方向への移動量は、移動部材およびピニオンの所定方向への移動量よりも大きくなる。従って、装飾体の移動量は増大する。よって、演出装置は、装飾体の移動量を確保しつつ小型化できる。
【０００８】
上記演出装置において、前記装飾体および前記移動機構は、前記軸部材の延設方向に沿って複数配置され、複数の前記移動機構に設けられた複数の前記カム部材の夫々は、前記軸部材の回転に伴って、前記移動部材と摺動するカム面を備え、前記カム面の夫々には、前記軸部材から最も離間し、且つ前記軸部材を中心とする回転方向と平行となる特定領域が形成され、複数の前記特定領域の夫々における前記一方向側の端部の位置は、前記回転方向において互いに異なってもよい。この場合、複数の装飾体は、夫々に対応する特定領域が移動部材に摺動する場合に、軸部材から所定方向へ最も離間する位置である離間位置に到達する。そして、駆動源が軸部材を一方向へ回転させる場合、回転移動する複数の特定領域は、互いに異なるタイミングで、夫々に対応する移動部材に当接する。これにより、複数の装飾体は、互いに異なるタイミングで離間位置に到達する。よって、演出装置は、遊技内容を多様化できる。
【０００９】
上記演出装置において、前記駆動源は、前記軸部材を前記一方向および前記一方向とは反対の方向である他方向に回転させるものであり、前記複数の特定領域の夫々における前記他方向側の端部の位置は、前記回転方向において互いに同じであってもよい。この場合、駆動源が軸部材を他方向へ回転させることで、複数の特定領域は、夫々に対応する移動部材に同時に当接する。これにより、複数の装飾体は、互いに同じタイミングで離間位置に到達する。演出装置は、軸部材の回転方向を変更することで、複数の装飾体が離間位置に到達するタイミングを異ならせることも、揃えることもできる。よって、演出装置は、遊技内容をさらに多様化できる。
【００１０】
上記演出装置において、前記所定方向は上方向であってもよい。この場合、装飾体は、特定領域が移動部材と摺動する場合に、軸部材から上方向へ最も離間する位置である上昇位置へ移動する。そして、カム部材がさらに回転移動し、特定領域が移動部材から離間する場合に、装飾体は自重により移動ラックと共に下方向へ移動する。そして、ピニオンは、移動ラックが下方向へ移動することで、第一方向とは反対の方向である第二方向へ回転しながら、固定ラックに沿って下方向へ移動する。移動部材は、回転するピニオンと共に案内部に沿って下方向へ移動し、所定位置まで戻る。所定位置まで戻った移動部材は、移動ラックおよび装飾体を上方向へ再び移動させることができる状態となる。従って、演出装置は、装飾体を上下方向に往復移動させることができるので、遊技内容をさらに多様化できる。また、装飾体は自重により下方向へ移動する。従って、演出装置は装飾体を下方向へ移動させるための駆動源をさらに備える必要がない。よって、演出装置は、装飾体を往復移動させる機構を簡易化できる。
【００１１】
上記演出装置において、前記移動機構は、前記移動部材を前記上方向へ付勢する弾性部材をさらに備えてもよい。この場合、弾性部材が移動部材を上方向へ付勢するので、カム部材が移動部材から受ける荷重は、低減される。従って、軸部材を回転させる駆動源が要する駆動力は、低減される。従って、演出装置は、安定して装飾体を所定方向へ移動させることができる。
【００１２】
上記演出装置において、前記弾性部材はコイルバネであり、前記案内部は、前記コイルバネの内側を通過して上下方向に延びる案内軸であってもよい。この場合、案内軸がコイルバネの内側に設けられることで、コイルバネの内側の空間が有効に活用される。従って、演出装置はさらに小型化できる。
【００１３】
本発明の第二態様に係る遊技機は、上記演出装置を備える。この場合、上記作用効果を奏する遊技機を提供できる。
【図面の簡単な説明】
【００１４】
【図１】パチンコ機１の正面図である。
【図２】演出装置３０の正面図である。
【図３】演出装置３０を左斜め後方からみた斜視図である。
【図４】演出装飾体４０、第一移動機構１００、第二移動機構２００、および第三移動機構３００を左斜め後方からみた斜視図である。
【図５】支持部材３５を右斜め前方からみた斜視図である。
【図６】軸部材４５、カム部材１８１，２８１，３８１を左斜め後方からみた斜視図である。
【図７】軸部材４５が一方向に回転する場合に、演出装飾体４０が上下動する流れを左斜め後方からみた説明図である。
【図８】移動ラック１５５を上方へ移動させるピニオン１３０を、右斜め前方からみた斜視図である。
【図９】軸部材４５が一方向に回転する場合に、演出装飾体４０が上下動する流れを前方からみた説明図である。
【図１０】移動ラック１５５を下方へ移動させるピニオン１３０を、右斜め前方からみた斜視図である。
【図１１】軸部材４５が他方向に回転する場合に、演出装飾体４０が上下動する流れを左斜め後方からみた説明図である。
【図１２】軸部材４５を他方向に回転する場合に、演出装飾体４０が上下動する流れを前方からみた説明図である。
【図１３】変形例に係るカム部材４８１の右側面図である。
【発明を実施するための形態】
【００１５】
本発明に係る遊技機の一実施形態であるパチンコ機１について、図面を参照して説明する。以下の説明では、図１の手前側、奥側、上側、下側、左側、および右側を、それぞれ、パチンコ機１の前側（正面側）、後側（背面側）、上側、下側、左側、および右側とする。
【００１６】
図１を参照して、パチンコ機１の概略構成を説明する。パチンコ機１には、遊技盤２が設けられている。遊技盤２は、正面視で略正方形の板状であり、透明なガラス板を保持した前面枠１３によって前面を保護されている。遊技盤２の下部には上皿５が設けられている。上皿５は、発射機（図示外）に遊技球（図示外）を供給し、且つ賞品球を受ける。上皿５の上部中央には、遊技者によって操作される操作ボタン９が設けられている。上皿５の直下には、賞品球を受ける下皿１０が設けられている。下皿１０の右横には、遊技球の発射を調整する発射ハンドル１１が設けられている。前面枠１３の上部の左右の角には、スピーカ４８がそれぞれ設けられている。
【００１７】
遊技盤２の前面には、ガイドレール３で囲まれた略円形の遊技領域４が形成されている。発射機によって発射された遊技球は、遊技領域４内を流下する。遊技領域４の略中央には、ＬＣＤ（液晶ディスプレイ）等で構成される画像表示装置（図示外）の表示画面（図示外）が後方から露出可能な表示開口７が設けられる。画像表示装置は、遊技者が大量の賞球を獲得可能な大当たり遊技を生起するか否かの大当たり判定の結果を報知するためのデモ図柄を表示する。パチンコ機１は、複数（本実施形態では三つ）のデモ図柄を変動させた後に、大当たり判定の結果を示すデモ図柄の組合せを確定表示させる報知演出を実行することで、大当たり判定の結果を遊技者に報知する。表示開口７の下方（遊技領域４の下側）には、入賞口１５、大入賞口１６、およびアウト口１７が上方から下方の順に並んで設けられる。
【００１８】
板状部材１８は、表示開口７の下側部分を前側から覆うように設けられる。板状部材１８は透明である。板状部材１８の後方には、第一装飾体５０、第二装飾体６０、および第三装飾体７０（以下、これら三つの装飾体を総称する場合には「演出装飾体４０」ともいう）が左方から右方へ順に配置されている。演出装飾体４０は、遊技盤２の後側に取り付けられる演出装置３０（図２参照）に、上下動可能に設けられている。演出装置３０は、画像表示装置およびスピーカ４８等と連動して、演出装飾体４０を上下動させ、報知演出等の様々な演出を実行する。演出装置３０の構成の詳細は後述する。
【００１９】
さらに、パチンコ機１は、主基板（図示外）、サブ基板（図示外）等を遊技盤２の背面側に備える。主基板とサブ基板とは電気的に接続し、それぞれにＣＰＵ、ＲＯＭ、およびＲＡＭ等が設けられる。主基板は、遊技球が入球する入賞口１５および大入賞口１６の入球口に応じて、遊技者に所定数の遊技球を賞球として付与する。サブ基板は、主基板から送信されるコマンドに従って、演出装置３０等を動作させ、演出等の総合的な制御を行う。
【００２０】
図２〜図６を参照し、演出装置３０の詳細な構成について説明する。以下の説明では、第一装飾体５０、第二装飾体６０、および第三装飾体７０が最も低い位置を下降位置といい、最も高い位置を上昇位置という。上昇位置は、演出装飾体４０が後述する軸部材４５（図３参照）から上方向に最も離間する位置である。図２〜図４に示す第一装飾体５０、第二装飾体６０、および第三装飾体７０は、各々、下降位置に位置している。
【００２１】
図２〜図４に示すように、演出装置３０は、支持部材３５と、駆動部２０と、軸部材４５と、第一移動機構１００と、第二移動機構２００と、第三移動機構３００とを備える。支持部材３５は、正面視で左右方向に長い略矩形状の板状部材である。支持部材３５は、駆動部２０、軸部材４５、第一移動機構１００、第二移動機構２００、および第三移動機構３００を支持する。
【００２２】
図５に示すように、支持部材３５は、平板部３６と、板状部３７と、貫通孔３１，３２，３３とを備える。平板部３６は、正面視で左右方向に長い略矩形状である。板状部３７は、平板部３６の下端部から前方へ延び、さらに下方へ折れ曲がる。板状部３７には、回路基板４９（図２参照）が前方から取り付けられている。板状部３７は、壁部３８と、隆起部４１，４２，４３とを有する。壁部３８は、左側面視で略矩形状の板状部材である。壁部３８は、板状部３７の左端部から前方へ向かって延びる。壁部３８の後側部には、壁部３８を左右方向に貫通する貫通孔（図示外）が設けられる。隆起部４１，４２，４３は、壁部３８よりも右側で、左方から右方へ向けて順に並んで設けられる。隆起部４１，４２，４３は、前方へ向かって隆起している。隆起部４３の右壁部４３Ａには、右壁部４３Ａを左右方向に貫通する貫通孔４３Ｂが設けられる。
【００２３】
貫通孔３１，３２，３３は、左方から右方へ向けて順に並んで設けられる。貫通孔３１，３２，３３は、互いに同じ形状である。貫通孔３１は、第一貫通孔３１Ａと、第二貫通孔３１Ｂとから形成される。第一貫通孔３１Ａは、平板部３６を前後方向に貫通する貫通孔であり、正面視で上下方向に長い略矩形状である。第二貫通孔３１Ｂは、隆起部４１の上壁部４１Ａを上下方向に貫通する貫通孔であり、平面視で略矩形状である。第二貫通孔３１Ｂの後端部は、第一貫通孔３１Ａの下端部と接続している。貫通孔３２，３３の形状の説明は、貫通孔３１の説明と重複するので省略する。
【００２４】
図３および図４に示すように、駆動部２０は、カバー部材２１と、モータ２２と、ギア３９とを備える。カバー部材２１は、右側が開口する略箱状であり、壁部３８（図２参照）の左側面に固定されている。モータ２２は、正逆回転自在であり、カバー部材２１の左側面に固定されている。軸部材４５は、平板部３６の下方で左右方向に延びる。軸部材４５は、壁部３８の貫通孔（図示外）および右壁部４３Ａの貫通孔４３Ｂ（図５参照）によって回転自在に支持されている。ギア３９は、軸部材４５の左端部に固定されている。ギア３９は、モータ２２の出力軸に固定されるギア（図示外）と噛み合っている。これにより、モータ２２は軸部材４５を回転自在である。
【００２５】
第一移動機構１００、第二移動機構２００、および第三移動機構３００は、左右方向に沿って配置されている。第一移動機構１００は支持部材３５の左側部に配置され、第二移動機構２００は支持部材３５の左右略中央部に配置され、第三移動機構３００は支持部材３５の右側部に配置される。
【００２６】
第一移動機構１００は、第一装飾体５０を上下動させる機構である。第一移動機構１００は、カム部材１８１と、二つの軸保持部１１１と、案内軸１１０と、コイルバネ１１５と、移動部材１２０と、ピニオン１３０と、固定ラック１６０（図５参照）と、第一装飾体５０と、移動ラック１５５とを備える。
【００２７】
図６に示すように、カム部材１８１は、軸部材４５を中心とする扇形形状に形成されている。カム部材１８１は、軸部材４５の左右方向略中央部よりも左側部に固定されている。カム部材１８１のカム面は、カム面１８１Ａ，１８１Ｂ，１８１Ｃ，１８１Ｄによって形成される。カム面１８１Ａは、カム部材１８１のカム面のうち、軸部材４５から最も離間する面（領域）であって、軸部材４５を中心とする回転方向と平行に延び且つ湾曲する面（領域）である。カム面１８１Ａが、軸部材４５を中心に回転移動する場合に描く軌跡は、貫通孔３１（図５参照）を通過する。
【００２８】
カム面１８１Ｂは、カム部材１８１のうち、軸部材４５を中心とする回転方向において左側面視で反時計回り方向（以下、一方向という）側の端面である。また、カム面１８１Ｃは、カム部材１８１のうち、軸部材４５を中心とする回転方向において左側面視で時計回り方向（以下、他方向という）側の端面である。カム面１８１Ｂおよびカム面１８１Ｃは、各々、平面状に形成されており、カム面１８１Ａと接続している。カム面１８１Ｄは、カム部材１８１のうち、軸部材４５に対してカム面１８１Ａと反対側に形成される面であり、軸部材４５を中心とする回転方向と平行に湾曲する面である。カム面１８１Ｄは、カム面１８１Ｂおよびカム面１８１Ｃと接続している。
【００２９】
図３に示すように、二つの軸保持部１１１は、左右方向に延びる略棒状部材である。二つの軸保持部１１１は、各々、第一貫通孔３１Ａ（図５参照）の上側部および下側部を左右方向に跨ぐ位置で、平板部３６の背面に固定される。案内軸１１０は、上下方向に延びる。案内軸１１０の上端部および下端部は、各々、二つの軸保持部１１１によって保持されている。コイルバネ１１５は、上下方向に延びる軸線（図示外）を中心に螺旋状に形成される。コイルバネ１１５の内側には、案内軸１１０が挿通されている。コイルバネ１１５は、案内軸１１０の下端部を保持する軸保持部１１１に上方から当接している。
【００３０】
移動部材１２０は、案内軸１１０に沿って上下動自在な部材である。以下の説明では、移動部材１２０が最も低い位置を下位位置といい、最も高い位置を上位位置という（後述する移動部材２２０，３２０についても同様とする）。
【００３１】
図５に示すように、移動部材１２０は、基部１２１と、一対の摺動部１２２と、当接部１２４とを備える。基部１２１は、正面視で上下方向に長い略矩形状の板状部材である。基部１２１の前側部の上下方向略中央には、前方へ向かって延びる支軸（図示外）が設けられている。基部１２１は、第一貫通孔３１Ａよりも後側に位置する。一対の摺動部１２２（図５では一方のみを図示）は、基部１２１の背面部に、上下方向に沿って設けられる。一対の摺動部１２２は、各々、平面視で後方へ向けて湾曲する略半円形の板状部材である。一対の摺動部１２２には、各々、上下方向に貫通する丸孔１２２Ａが設けられる。二つの丸孔１２２Ａには、案内軸１１０（図４参照）が挿通されている。従って、一対の摺動部１２２は案内軸１１０に沿って摺動自在である。つまり、案内軸１１０は移動部材１２０を上下方向に案内可能である。
【００３２】
一対の摺動部１２２のうち下側にある摺動部１２２は、コイルバネ１１５に上方から当接している（図３参照）。コイルバネ１１５は移動部材１２０を上方向へ向けて付勢している。これにより、移動部材１２０は、下位位置にてコイルバネ１１５によって支持されている。当接部１２４は、基部１２１の下端部から前方へ向かって突出し、且つ左側面視で下方へ向かって円弧状に湾曲している。当接部１２４の下側面には当接面１２４Ａが形成されている。当接面１２４Ａには、カム面１８１Ｄが下側（上方向とは反対側）から当接している（図４参照）。尚、図５においては、図面を見易くするために、上位位置にある移動部材１２０を図示している（後述する移動部材２２０，３２０についても同様である）。また、図５においては、案内軸１１０および軸保持部１１１などの部材の図示を省略している。
【００３３】
ピニオン１３０は、基部１２１の支軸に回転自在に設けられる。ピニオン１３０は、第一貫通孔３１Ａの周縁部内側に位置する。固定ラック１６０は、上下方向（上方向と平行な方向）に長い板状部材である。固定ラック１６０は、第一貫通孔３１Ａの右縁部の下部に形成され、固定されている。固定ラック１６０は、軸部材４５（図４参照）から上方向に離間しており、且つピニオン１３０の右方に位置する。固定ラック１６０の左側縁部には、上下方向に連続して延びる第一歯部１６０Ａが形成されている。第一歯部１６０Ａは、ピニオン１３０と噛み合っている。本実施形態では、固定ラック１６０は、平板部３６と一体になって形成されている。固定ラック１６０は、平板部３６と別体に形成されていてもよい。
【００３４】
図４に示すように、第一装飾体５０は、略直方体状である。第一装飾体５０は軸部材４５から上方向に離間している。第一装飾体５０の背面部の左右方向略中央には、スライドレール１５１が設けられる。スライドレール１５１は、第一レール部材１５１Ａと、第二レール部材１５１Ｂと、複数の回転体（図示外）とから形成される。第一レール部材１５１Ａおよび第二レール部材１５１Ｂは、背面視で上下方向に長い略矩形状である。第一レール部材１５１Ａは、第一装飾体５０の背面部に固定されている。第二レール部材１５１Ｂは、複数の回転体を介して第一レール部材１５１Ａに設けられる。第二レール部材１５１Ｂは、第一レール部材１５１Ａに対して上下動自在である。第二レール部材１５１Ｂは、平板部３６（図５参照）のうち、第一貫通孔３１Ａ（図５参照）よりも左側部に固定される。これにより、第一装飾体５０は平板部３６に対して上下動自在となっている。
【００３５】
移動ラック１５５は、背面視で上下方向に長い板状部材である。移動ラック１５５は、第一装飾体５０の背面部の下側部分のうち、スライドレール１５１よりも右側の部分から、下方へ向かって延びる。また、移動ラック１５５は、第一装飾体５０の背面部と一体的に形成されている。さらに、移動ラック１５５は、ピニオン１３０の左方に位置する。移動ラック１５５の右側部には、上下方向に連続して延びる第二歯部１５５Ａが形成されている。第二歯部１５５Ａは、第一歯部１６０Ａ（図５参照）とは反対側からピニオン１３０と噛み合っている。つまり、移動ラック１５５と固定ラック１６０とは、ピニオン１３０を挟んで、左右方向に対向している（図８参照）。尚、移動ラック１５５は、第一装飾体５０の背面部と別体に形成されていてもよい。
【００３６】
次に、第二移動機構２００の構成について説明する。第二移動機構２００は、第二装飾体６０を上下動させる機構である。第二移動機構２００の構成は、第一移動機構１００の構成と略同様である。従って、以下の説明では、第二移動機構２００が備えるカム部材２８１および移動部材２２０についてのみ説明する。
【００３７】
図６に示すように、カム部材２８１は、軸部材４５を中心とする扇形形状に形成されており、軸部材４５の左右方向略中央部に固定される。カム部材２８１のカム面はカム面２８１Ａ，２８１Ｂ，２８１Ｃ，２８１Ｄによって形成される。カム面２８１Ａは、カム部材２８１のカム面うち、軸部材４５から最も離間する面（領域）であり、軸部材４５を中心とする回転方向と平行に延び且つ湾曲する面（領域）である。カム面２８１Ａが、軸部材４５を中心に回転移動する場合に描く軌跡は、貫通孔３２（図５参照）を通過する。
【００３８】
カム面２８１Ｂは、カム部材２８１のうち一方向側の端面であり、カム面２８１Ｃは、他方向側の端面である。カム面２８１Ｂ，２８１Ｃは、各々、平面状に形成されており、カム面２８１Ａと接続する。カム面２８１Ｄは、カム部材２８１のうち、軸部材４５に対してカム面２８１Ａと反対側の面であり、軸部材４５を中心とする回転方向と平行に湾曲する面である。カム面２８１Ｄは、カム面２８１Ｂ，２８１Ｃと接続している。
【００３９】
図５に示すように、移動部材２２０の形状は、移動部材１２０と同様である。移動部材２２０は移動部材１２０よりも右側で、下位位置と上位位置との間を上下動自在である。移動部材２２０は当接部２２４を有する。当接部２２４の当接面２２４Ａには、カム面２８１Ｄが下側から当接している（図４参照）。
【００４０】
次に、第三移動機構３００（図６参照）の構成について説明する。第三移動機構３００は、第三装飾体７０を上下動させる機構である。第二移動機構２００の構成の説明と同様、以下の説明では、第三移動機構３００が備えるカム部材３８１（図６参照）および移動部材３２０についてのみ説明する。
【００４１】
図６に示すように、カム部材３８１は、軸部材４５を中心とする扇形形状に形成されており、カム部材２８１の右方で、軸部材４５に固定されている。カム部材３８１のカム面はカム面３８１Ａ，３８１Ｂ，３８１Ｃ，３８１Ｄによって形成される。カム面３８１Ａは、カム部材３８１のカム面のうち、軸部材４５から最も離間する面（領域）であり、平面状に形成される面（領域）である。カム面３８１Ａは左右方向に長い略矩形状である。カム面３８１Ａの短手方向における長さは短い。このため、カム面３８１Ａは、軸部材４５を中心とする回転方向と略平行である。言い換えると、カム面３８１Ａは、軸部材４５を中心とする回転方向と略平行に延びる。カム面３８１Ａが、軸部材４５を中心に回転移動する場合に描く軌跡は、貫通孔３２（図５参照）を通過する。尚、カム面３８１Ａはカム面１８１Ａ，２８１Ａと同様に湾曲して形成されていてもよい。
【００４２】
カム面３８１Ｂは、カム部材３８１のうち一方向側の端面であり、カム面３８１Ｃは、他方向側の端面である。カム面３８１Ｂ，３８１Ｃは、各々、平面状に形成されており、カム面３８１Ａと接続する。カム面３８１Ｄは、カム部材３８１のうち、軸部材４５に対してカム面３８１Ａと反対側の面であり、軸部材４５を中心とする回転方向と平行に湾曲している。カム面３８１Ｄは、カム面３８１Ｂ，３８１Ｃと接続している。
【００４３】
図５に示すように、移動部材３２０の形状は、移動部材１２０と同様である。移動部材３２０は移動部材２２０よりも右側で、下位位置と上位位置との間を上下動自在である。移動部材３２０は当接部３２４を有する。当接部３２４の当接面３２４Ａには、カム面３８１Ｄ（図６参照）が下側から当接している（図４参照）。
【００４４】
ここで、カム面１８１Ａ，２８１Ａ，３８１Ａの位置関係について説明する。カム面１８１Ａ，２８１Ａ，３８１Ａの各々と、軸部材４５との離間距離は、互いに略同じである。また、カム面１８１Ａ，２８１Ａ，３８１Ａの、軸部材４５を中心とする回転方向における長さは、互いに異なる。さらに、カム面１８１Ａ，２８１Ａ，３８１Ａの一方向側の端部は、軸部材４５を中心とする回転方向において、互いに異なる位置に配置される。つまり、カム面１８１Ｂ，２８１Ｂ，３８１Ｂは、軸部材４５を中心とする回転方向において、互いに異なる位置に配置される。また、カム面１８１Ａ，２８１Ａ，３８１Ａの他方向側の端部は、軸部材４５を中心とする回転方向において、互いに同じ位置に配置される。つまり、カム面１８１Ｃ，２８１Ｃ，３８１Ｃは、軸部材４５を中心とする回転方向において、互いに同じ位置に配置される。
【００４５】
次に、演出装置３０の動作について説明する。第一移動機構１００、第二移動機構２００、および第三移動機構３００が、各々、第一装飾体５０、第二装飾体６０、および第三装飾体７０を上下動させる動作は、互いに同様である。従って、以下の説明では、第一移動機構１００が第一装飾体５０を上下動させる動作について詳しく説明し、第二移動機構２００および第三移動機構３００の動作については簡略化して説明する。尚、演出装置３０の動作前においては、演出装飾体４０は下降位置に位置し、移動部材１２０，２２０，３２０は下位位置に位置するものとする（図７（ａ）、図９（ａ）、図１１（ａ）、および図１２（ａ）参照）。
【００４６】
まず、図７〜図１０を参照し、モータ２２が、軸部材４５を一方向へ向けて回転させる場合について説明する。図７に示すように、モータ２２が軸部材４５を一方向へ回転させると、カム部材１８１，２８１，３８１は、軸部材４５を中心に一方向へ向けて回転移動する（図７（ａ）、（ｂ）参照）。カム部材１８１が回転移動することで、カム面１８１Ｂが、カム面１８１Ｄに代わって当接面１２４Ａと下側から当接する。カム面１８１Ｂの回転移動する方向（一方向）は、移動部材１２０の上位位置へ近接する方向である。従って、回転移動するカム面１８１Ｂは、当接面１２４Ａと摺動しながら、当接部１２４を上方向へ押し上げる。これにより、移動部材１２０は、下位位置から案内軸１１０に沿って上方向へ移動する。さらに、カム部材１８１が回転移動することで、カム面１８１Ａが、カム面１８１Ｂに代わって、当接面１２４Ａと下側から当接し、当接部１２４をさらに上方向へ押し上げる（図７（ｂ）参照）。これにより、移動部材１２０は上位位置に到達する（図７（ｂ）参照）。カム面１８１Ａが、当接面１２４Ａと摺動している間は、移動部材１２０は上位位置に位置し続ける。
【００４７】
ここで、移動部材１２０が下位位置から上位位置へと移動する間、コイルバネ１１５（図３参照）が移動部材１２０を上方向へ向けて付勢する。従って、移動部材１２０を押し上げるカム部材１８１が、当接部１２４から受ける荷重は低減される。
【００４８】
図８に示すように、下位位置にある移動部材１２０が上方向へ移動する場合、ピニオン１３０は移動部材１２０と共に移動する。同時に、ピニオン１３０は、第一歯部１６０Ａおよび第二歯部１５５Ａと噛み合いながら、正面視で時計回り方向（以下、第一方向という）へ回転する。これにより、ピニオン１３０は、第一歯部１６０Ａの下側部から上側部へ移動する。第二歯部１５５Ａは、ピニオン１３０が第一方向へ回転することで、上方向へ移動させられる。これにより、移動ラック１５５は上方向へ移動する。尚、図８においては、支持部材３５（図２参照）および第一装飾体５０（図４参照）の図示を省略している（図１０も同様）。
【００４９】
図９に示すように、下降位置にあった第一装飾体５０は、移動ラック１５５と共に上方向へ移動する。そして、移動部材１２０が上位位置に到達するときに、第一装飾体５０は上昇位置に到達する（図９（ｂ）参照）。これにより、第一移動機構１００（図７参照）は、第一装飾体５０を下降位置から上昇位置へと移動させる。
【００５０】
ここで、ピニオン１３０の上方向への移動量は、カム部材１８１（図７参照）が移動部材１２０を上方向へ押し上げて移動させる移動量（以下、押上移動量という）と同じである。そして、移動するピニオン１３０は、第一方向へ回転することで第二歯部１５５Ａを上方向へ移動させる。これにより、移動ラック１５５は、移動するピニオン１３０に対して、上方向へ相対移動する。従って、移動ラック１５５の上方向への移動量は、押上移動量よりも大きくなる。よって、演出装置３０は、第一装飾体５０の移動量を増大させることができる。
【００５１】
図７および図９に示すように、モータ２２が軸部材４５をさらに一方向へ回転させることで、回転移動するカム面２８１Ｂおよびカム面２８１Ａが、カム面２８１Ｄに代わって順に当接面２２４Ａと下側から当接する（図７（ｂ）、（ｃ）参照）。結果、移動部材２２０は下位位置から上位位置に到達し、第二装飾体６０は下降位置から上昇位置に到達する（図９（ｂ）、（ｃ）参照）。これにより、第二移動機構２００は第二装飾体６０を下降位置から上昇位置へと移動させる。尚、第二装飾体６０が移動する間、回転移動するカム面１８１Ａは当接面１２４Ａと摺動しており、第一装飾体５０は上昇位置に位置し続ける。
【００５２】
モータ２２が軸部材４５をさらに一方向へ回転させると、回転移動するカム面３８１Ｂおよびカム面３８１Ａが、カム面３８１Ｄに代わって順に当接面３２４Ａと下側から当接する（図７（ｃ）、（ｄ）参照）。これにより、第三移動機構３００は、第三装飾体７０を下降位置から上昇位置に到達させる（図９（ｃ）、（ｄ）参照）。尚、第三装飾体７０が移動する間、回転移動するカム面１８１Ａ，２８１Ａは、各々、当接面１２４Ａ，２２４Ａと摺動しており、第一装飾体５０および第二装飾体６０は、上昇位置に位置し続ける。
【００５３】
モータ２２が軸部材４５をさらに一方向へ回転させると、カム面１８１Ａが当接面１２４Ａから離間し、回転移動するカム面１８１Ｃがカム面１８１Ａに代わって当接面１２４Ａと当接する。この場合におけるカム面１８１Ｃの回転移動する方向（一方向）は、移動部材１２０の上位位置および第一装飾体５０の上昇位置から離間する方向である。カム面１８１Ｃが回転移動することで、上昇位置にあった第一装飾体５０は、自重により移動ラック１５５と共に下方向に移動する。
【００５４】
図１０に示すように、移動ラック１５５が下方向へ移動することで、ピニオン１３０は、第一歯部１６０Ａおよび第二歯部１５５Ａと噛み合ったまま、正面視で反時計回り方向（以下、第二方向という）へ回転する。これにより、ピニオン１３０は、第一歯部１６０Ａの上側部から下側部へ移動する。また、移動部材１２０は、第二方向へ回転するピニオン１３０と共に、当接面１２４Ａがカム面１８１Ｃ（図７参照）と当接する状態を保ったまま、自重により下方向へ向けて移動する。これにより、上位位置にあった移動部材１２０は、案内軸１１０に沿って、下方向へ移動する。
【００５５】
そして、図７に示すように、回転移動するカム面１８１Ｄが、カム面１８１Ｃに代わって当接面１２４Ａと当接することで、移動部材１２０は下位位置に戻り（図７（ａ）参照）、第一装飾体５０は下降位置に戻る（図９（ａ）参照）。これにより、第一移動機構１００は第一装飾体５０を上昇位置から下降位置へと移動させる。
【００５６】
ここで、カム面１８１Ｃが、カム面１８１Ａに代わって当接面１２４Ａと当接すると同時に、カム面２８１Ｃは、カム面２８１Ａに代わって当接面２２４Ａと当接し、カム面３８１Ｃは、カム面３８１Ａに代わって当接面３２４Ａと当接する。この結果、移動部材２２０，３２０が、上位位置から下位位置へと移動し、第二装飾体６０および第三装飾体７０は、上昇位置から下降位置へと移動する。そして、カム面１８１Ｄが当接面１２４Ａと当接すると同時に、カム面２８１Ｄは当接面２２４Ａと当接し、カム面３８１Ｄは当接面３２４Ａと当接する（図７（ａ）参照）。これにより、第一移動機構１００が第一装飾体５０を上昇位置から下降位置へと移動させると同時に、第二移動機構２００および第三移動機構３００は、各々、第二装飾体６０および第三装飾体７０を、上昇位置から下降位置へと移動させる（図９（ａ）参照）。
【００５７】
以上の動作を繰り返すことで、演出装置３０は、第一装飾体５０、第二装飾体６０、および第三装飾体７０を、互いに異なるタイミングで下降位置から上昇位置に到達させ、且つ第一装飾体５０、第二装飾体６０、および第三装飾体７０を、同時に上昇位置から下降位置に到達させる。
【００５８】
次に、図１１、図１２を参照し、モータ２２が軸部材４５を他方向へ向けて回転させる場合について説明する。演出装置３０が演出装飾体４０を上下動させる動作は、軸部材４５が一方向へ向けて回転する場合と同様である。従って、以下の説明では、演出装置３０の動作を簡略化して説明する。
【００５９】
図１１、図１２に示すように、モータ２２が軸部材４５を他方向へ回転させることで、カム部材１８１，２８１，３８１は、軸部材４５を中心に他方向へ向けて回転移動する。（図１１（ａ）、（ｂ）参照）。この場合、カム面１８１Ｄに代わってカム面１８１Ｃが当接面１２４Ａと当接する。同時に、カム面２８１Ｄに代わってカム面２８１Ｃが当接面２２４Ａと当接し、カム面３８１Ｄに代わってカム面３８１Ｃが当接面３２４Ａと当接する。これにより、移動部材１２０，２２０，３２０は、同時に下位位置から上位位置へと移動し、第一装飾体５０、第二装飾体６０、および第三装飾体７０は、同時に上昇位置へ向かって移動する。
【００６０】
モータ２２が軸部材４５をさらに他方向へ回転させることで、カム面１８１Ａは、カム面１８１Ｃに代わって当接面１２４Ａと当接する（図１１（ｂ）参照）。同時に、カム面２８１Ａが、カム面２８１Ｃに代わって当接面２２４Ａと当接し、カム面３８１Ａが、カム面３８１Ｃに代わって当接面３２４Ａと当接する（図１１（ｂ）参照）。これにより、第一装飾体５０、第二装飾体６０、および第三装飾体７０は、同時に上昇位置に到達する（図１２（ｂ）参照）。
【００６１】
モータ２２が軸部材４５をさらに他方向へ回転させることで、カム面３８１Ａは当接面３２４Ａから離間し、カム面３８１Ｂおよびカム面３８１Ｄがカム面３８１Ａに代わって順に当接面３２４Ａと当接する（図１１（ｃ）参照）。この結果、第三移動機構３００は、第三装飾体７０を上昇位置から下降位置へと移動させる（図１２（ｃ）参照）。尚、第三装飾体７０が下降位置へと移動する間、第一装飾体５０および第二装飾体６０は、上昇位置に位置し続ける。
【００６２】
モータ２２が軸部材４５をさらに他方向へ回転させることで、カム面２８１Ｂおよびカム面２８１Ｄは、カム面２８１Ａに代わって順に当接面２２４Ａと当接する（図１１（ｄ）参照）。結果、第二移動機構２００は、第二装飾体６０を上昇位置から下降位置へと移動させる（図１２（ｄ）参照）。尚、第二装飾体６０が下降位置へと移動する間、第一装飾体５０は上昇位置に位置し続け、第三装飾体７０は下降位置に位置し続ける。
【００６３】
さらに、モータ２２が軸部材４５を他方向へ回転させることで、カム面１８１Ｂおよびカム面１８１Ｄは、カム面１８１Ａに代わって順に当接面１２４Ａと当接する（図１１（ａ）参照）。これにより、第一移動機構１００は、第一装飾体５０を上昇位置から下降位置へと移動させる（図１２（ａ）参照）。尚、第一装飾体５０が下降位置へと移動する間、第二装飾体６０および第三装飾体７０は、下昇位置に位置し続ける。
【００６４】
以上の動作を繰り返すことで、演出装置３０は、第一装飾体５０、第二装飾体６０、および第三装飾体７０を、同時に下降位置から上昇位置に到達させ、且つ、第三装飾体７０、第二装飾体６０、および第一装飾体５０の順に、各装飾体を上昇位置から下降位置に到達させる。
【００６５】
以上、説明したように、第一移動機構１００の固定ラック１６０と移動ラック１５５は、ピニオン１３０を挟んで左右方向に対向する。そして、軸部材４５に固定されるカム部材１８１は、移動部材１２０に下側から当接部１２４と当接する。従って、第一装飾体５０を上下方向に往復移動させるための部材である、固定ラック１６０、移動ラック１５５、ピニオン１３０、軸部材４５、およびカム部材１８１は、特定の方向に並んで配置されることがない。つまり、演出装置３０は、左右方向および上下方向におけるスペースを有効に活用して、第一装飾体５０を上下方向に往復移動させるための部材を配置できる。従って、演出装置３０は、小型化できる。また、ピニオン１３０が上方向へ移動しながら第一方向へ回転する場合、移動ラック１５５は、ピニオン１３０に対して上方向へ相対移動する。これにより、第一装飾体５０の移動量は、押上移動量よりも大きくなる。よって、演出装置３０は第一装飾体５０の移動量を確保しつつ、小型化できる。
【００６６】
また、演出装置３０は、軸部材４５を一方向へ回転させることで、互いに異なるタイミングで、第一装飾体５０、第二装飾体６０、および第三装飾体７０を、下降位置から上昇位置に到達させる。従って、演出装置３０は、遊技内容を多様化できる。
【００６７】
また、演出装置３０は、軸部材４５を他方向へ回転させることで、第一装飾体５０、第二装飾体６０、および第三装飾体７０を、同時に下降位置から上昇位置に到達させることができる。つまり、演出装置３０は、軸部材４５を回転させる方向を変更することで、第一装飾体５０、第二装飾体６０、および第三装飾体７０が上昇位置に到達するタイミングを、異ならせることも、揃えることもできる。よって、演出装置３０は、遊技内容をさらに多様化できる。
【００６８】
また、移動部材１２０が上位位置に到達した後に、カム部材１８１がさらに回転移動すると、移動部材１２０は自重により下位位置まで戻り、第一装飾体５０は下降位置まで戻る。これにより、移動部材１２０は、移動ラック１５５を上方向へ再び移動させることができる状態となる。従って、演出装置３０は、第一装飾体５０を上下方向に往復移動させることができる。同様に、演出装置３０は、第二装飾体６０および第三装飾体７０を、上下方向に往復移動させることができる。よって、演出装置３０は、演出装飾体４０を上下方向に往復移動させることができるので、遊技内容をさらに多様化できる。また、演出装飾体４０は、上方向へ移動した後、自重により下方向へ移動する。従って、演出装置３０は、演出装飾体４０を下方向へ移動させるための駆動源を、モータ２２以外に備える必要がない。よって、演出装置３０は、演出装飾体４０を往復移動させる機構を簡易化できる。
【００６９】
また、コイルバネ１１５は、第一装飾体５０を上方向へ向けて付勢する。従って、移動部材１２０を上方向へ移動させるカム部材１８１が、当接部１２４から受ける荷重（移動部材１２０の自重に起因する荷重）は低減される。同様に、カム部材２８１、３８１が、各々、当接部２２４，３２４から受ける荷重は、低減される。よって、移動部材１２０，２２０，３２０が押し上げられる場合に、モータ２２が要する駆動力は低減される。よって、演出装置３０は、安定して演出装飾体４０を上方向へ移動させることができる。
【００７０】
また、案内軸１１０は、コイルバネ１１５の内側を上下方向に通過して延びる。案内軸１１０が、コイルバネ１１５の内側に設けられることで、コイルバネ１１５の内側の空間が有効に活用できる。よって、演出装置３０は、さらに小型化できる。
【００７１】
尚、上記実施形態において、パチンコ機１が本発明の「遊技機」に相当し、モータ２２が本発明の「駆動源」に相当し、第一装飾体５０、第二装飾体６０、および第三装飾体７０が本発明の「装飾体」に相当し、第一移動機構１００、第二移動機構２００、および第三移動機構３００が本発明の「移動機構」に相当し、カム面１８１Ａ，２８１Ａ，３８１Ａが本発明の「特定領域」に相当し、左右方向が本発明の「延設方向」に相当する。
【００７２】
本発明は、上記実施形態に限定されるものではなく、本発明の要旨を逸脱しない範囲内での変更が可能である。上記実施形態では、演出装置３０は、演出装飾体４０を上下動させているが、これに限られない。例えば、演出装置３０は、左右方向、前後方向、または正面視で上下方向および左右方向に対して傾斜する方向に、演出装飾体４０を往復移動させてもよい。
【００７３】
また、軸部材４５は、左右方向に延びるがこれに限られない。例えば、軸部材４５は、前後方向に延びていてもよい。この場合、第一装飾体５０、第二装飾体６０、および第三装飾体７０は、前後方向に並んで配置される。
【００７４】
また、上記実施形態では、第一移動機構１００は、移動部材１２０を上方向へ付勢する弾性部材として、コイルバネ１１５を備えるがこれに限られない。例えば、演出装置３０は、コイルバネ１１５の代わりに、移動部材１２０を上方へ付勢する引っ張りスプリングを支持部材３５に設けてもよい。また、引っ張りスプリングの代わりに、トーションスプリングまたは板バネ等が設けられていてもよい。
【００７５】
また、上記実施形態では、演出装置３０は、装飾体を三つ（第一装飾体５０、第二装飾体６０、および第三装飾体７０）を備えるがこれに限られない。例えば、演出装置３０は、装飾体を一つまたは二つ備えていてもよいし、四つ以上備えていてもよい。
【００７６】
また、上記実施形態では、演出装置３０は、軸部材４５を一方向へ回転させる場合に、第一装飾体５０、第二装飾体６０、および第三装飾体７０を、順に、下降位置から上昇位置へと移動させるが、これに限られない。第一装飾体５０、第二装飾体６０、および第三装飾体７０を上昇位置へと移動させる順番は、どのような順番であってもよい。この場合、カム部材１８１，２８１，３８１の配置位置を適宜変更させれば、各装飾体が移動する順番は変更できる。例えば、軸部材４５を一方向へ回転させる場合に、第三装飾体７０、第二装飾体６０、および第一装飾体５０を順に上昇位置に到達させる場合には、カム部材１８１とカム部材３８１との配置位置を入れ替えればよい。
【００７７】
また、上記実施形態では、カム面１８１Ｂ，２８１Ｂ，３８１Ｂは、軸部材４５を中心とする回転方向において、互いに異なる位置に配置され、カム面１８１Ｃ，２８１Ｃ，３８１Ｃは、互いに同じ位置に配置されているが、これに限られない。例えば、カム面１８１Ｂ，２８１Ｂ，３８１Ｂは、軸部材４５を中心とする回転方向において、互いに同じ位置に配置され、カム面１８１Ｃ，２８１Ｃ，３８１Ｃは、互いに異なる位置に配置されてもよい。この場合、演出装置３０が、軸部材４５を、左側面視で反時計回り方向に回転させる場合に、第一装飾体５０、第二装飾体６０、および第三装飾体７０は、同時に下降位置から上昇位置に到達する。そして、演出装置３０が、軸部材４５を、左側面視で時計回り方向に回転させる場合に、第一装飾体５０、第二装飾体６０、および第三装飾体７０は、互いに異なるタイミングで、下降位置から上昇位置に到達する。
【００７８】
また、上記実施形態では、移動ラック１５５、ピニオン１３０、および固定ラック１６０は、左右方向に並んで設けられるが、これに限られない。例えば、移動ラック１５５、ピニオン１３０、および固定ラック１６０は、前後方向に並んで設けられていてもよい。また、上記実施形態では、移動ラック１５５、ピニオン１３０、および固定ラック１６０は、軸部材４５に対して上側に配置されるが、これに限られない。例えば、移動ラック１５５、ピニオン１３０、および固定ラック１６０は、軸部材４５に対して下側に配置されていてもよい。この場合、移動部材１２０は、基部１２１の下端部から軸部材４５の下側まで延びる延設部をさらに備え、該延設部にピニオン１３０を回転自在に設け、ピニオン１３０の左右両側に移動ラック１５５および固定ラック１６０を配置すればよい。
【００７９】
また、上記実施形態では、当接部１２４は、基部１２１の下端部から前方へ向かって突出しているが、これに限られない。当接部１２４は、基部１２１の下端部から後方へ向かって突出していてもよい。また、上記実施形態では当接部１２４は、基部１２１の下端部に設けられているがこれに限られない。当接部１２４は、基部１２１の上下方向略中央部に設けられていてもよい。さらに、上記実施形態では、当接部１２４は、左側面視で下方へ向かって円弧状に湾曲しているが、これに限られない。当接部１２４は、基部１２１の下端部から前方斜め下方へ向かって直線状に延びていてもよい。また、当接部１２４は、基部１２１の下端部から後方へ向かって直線状に延びていてもよい。
【００８０】
また、上記実施形態では、当接部１２４は、カム部材１８１に常に当接しているが、これに限られない。例えば、支持部材３５にストッパー部材を設けることで、移動部材１２０の下位位置を、カム面１８１Ａのみが当接部１２４と当接可能となる位置に調整してもよい。この場合、カム部材１８１は、カム面１８１Ａが当接部１２４と当接しない場合には、移動部材１２０から離間する。
【００８１】
また、上記実施形態では、カム部材１８１，２８１，３８１は、軸部材４５を中心とする扇形形状であるが、これに限られない。例えば、図１３に示す変形例に係るカム部材４８１のように、湾曲するカム面４８１Ａ，４８１Ｂを有する形状であってもよい。カム面４８１Ａは、カム部材４８１のカム面のうち、軸部材４５から最も離間する面（領域）であって、軸部材４５を中心とする回転方向と平行に延び且つ湾曲する面（領域）である。カム面４８１Ｂは、カム面４８１Ａの軸部材４５を中心とする回転方向における両端部と接続する面である。カム面４８１Ｂは、軸部材４５を中心とする回転方向に沿って、軸部材４５との離間距離が漸増または漸減するように形成されている。カム部材４８１が、軸部材４５を中心に回転移動する場合に、カム面４８１Ｂが当接面１２４Ａと当接している間は、第一装飾体５０（図２参照）は、僅かに上下動を繰り返す。そして、回転移動するカム面４８１Ａが、カム面４８１Ｂに代わって当接面１２４Ａと当接する場合に、第一装飾体５０は、上昇位置に到達する。
【００８２】
また、上記例示した各要素に限らず、請求項、明細書および図面に記載される全ての要素は、個数を意識的に限定する明確な記載がない限り、単一であっても複数であってもよく、適宜配置の変更が行われてもよい。また、前記要素につけられた名称（要素名）は、単に本件の記載のために便宜上付与したにすぎないものであり、それによって特別な意味が生じることを特に意識したものではない。従って、要素名のみによって要素が何であるかが限定解釈されるものではない。更には、請求項、明細書および図面に記載される要素を各々別体で構成するか、適宜一体的に構成するか、或いはひとつの要素を複数の要素に分けて構成するかは、当業者であれば何れも容易に考えられる事項である。従って、その範囲内での構成上の差異を有する遊技機を、実施例に記載がされていないからといって採用することのみでは、本発明に係る権利を回避したことにはならない。その他、各要素の構成や形状等における、本実施例から当業者であれば容易に考えられる自明な範囲の差異についても同様である。
【符号の説明】
【００８３】
１        パチンコ機
２２      モータ
３０      演出装置
４５      軸部材
５０      第一装飾体
６０      第二装飾体
７０      第三装飾体
１００    第一移動機構
１１０    案内軸
１１５    コイルバネ
１２０，２２０，３２０  移動部材
１２２，２２２，３２２  当接部
１３０    ピニオン
１５５    移動ラック
１６０    固定ラック
１８１，２８１，３８１，４８１          カム部材
１８１Ａ，２８１Ａ，３８１Ａ，４８１Ａ  カム面
２００  第二移動機構
３００  第三移動機構
【図１】
2015084981.tif 000003
【図２】
2015084981.tif 000004
【図３】
2015084981.tif 000005
【図４】
2015084981.tif 000006
【図５】
2015084981.tif 000007
【図６】
2015084981.tif 000008
【図７】
2015084981.tif 000009
【図８】
2015084981.tif 000010
【図９】
2015084981.tif 000011
【図１０】
2015084981.tif 000012
【図１１】
2015084981.tif 000013
【図１２】
2015084981.tif 000014
【図１３】
2015084981.tif 000015